(57)【要約】      （修正有）【課題】小型化、軽量化を図ると共に、携帯性、操作性及び防水性を向上させた、犬や猫等の小動物の足の洗浄と拭き取りができる実用性が高い技術を提供する。【解決手段】モータや水循環ポンプ等の駆動部を有する本体２と、本体に装着される中空の洗浄容器３と、本体に装着され、前記駆動部の駆動力により駆動するヘッド部材とを有し、ヘッド部材として洗浄用のヘッド部材又は拭き取り用のヘッド部材が装着される小動物足洗浄装置である。【選択図】図１
2020078256.tif 000002
【特許請求の範囲】
【請求項１】
駆動部を有する本体と、
前記本体に装着される中空の洗浄容器と、
前記本体に装着され、前記駆動部の駆動力により駆動するヘッド部材と、を有し、
前記ヘッド部材として、洗浄用のヘッド部材又は拭き取り用のヘッド部材が装着される
小動物足洗浄装置。
【請求項２】
前記駆動部はモータを含み、
前記ヘッド部材は、前記モータの駆動により回転する
請求項１に記載の小動物足洗浄装置。
【請求項３】
前記ヘッド部材は、シリコンまたはエラストマー素材のゴム弾力性素材で成型した平面型洗浄用ブラシ、あるいは、シリコンまたはエラストマー素材のゴム弾力性素材をベースフレームにマイクロファイバーや吸水速乾繊維の超吸水速乾素材を接着加工した平面円形型拭き取り用ブラシを備える
請求項２に記載の小動物足洗浄装置。
【請求項４】
前記ヘッド部材は、前記洗浄容器の側面全体を覆うシリコンまたはエラストマー素材のゴム弾力性素材で一体成型した円筒型洗浄用ブラシ、あるいは、シリコンまたはエラストマー素材のゴム弾力性素材をベースフレームにマイクロファイバーや吸水速乾繊維の超吸水速乾素材を接着加工した円筒型拭き取り用ブラシを備える
請求項２に記載の小動物洗浄装置。
【請求項５】
前記駆動部は、水循環ポンプを含み、
前記ヘッド部材は、前記水循環ポンプから排出される水により水流を発生する
請求項１に記載の小動物足洗浄装置。
【請求項６】
前記ヘッド部材は、ＡＢＳ樹脂、シリコン樹脂、又はゴム樹脂を使用した平面型ヘッド、あるいは、アルミ合金、またはステンレスを使用した平面型ヘッドである
請求項５に記載の小動物足洗浄装置。
【請求項７】
前記ヘッド部材は、アルミ合金、ステンレス製、ＡＢＳ樹脂、シリコン樹脂、またはゴム樹脂を使用した洗浄容器の側面全体を覆う一体成型の円筒型ヘッドである
請求項５に記載の小動物洗浄装置。
【請求項８】
前記洗浄容器は円筒形状であり、
前記本体は、前記洗浄容器の底面又は側面に装着可能である
請求項１乃至請求項７のいずれか１項に記載の小動物洗浄装置。
【請求項９】
前記洗浄容器の前記本体の装着側とは反対端の開口部には、未使用時には、把持できる部分を有する蓋部材が装着される
請求項１乃至請求項８のいずれか１項に記載の小動物洗浄装置。
【発明の詳細な説明】
【技術分野】
【０００１】
本発明は、例えば犬や猫などの小動物の足を洗浄する、小動物足洗浄装置に関する。
【背景技術】
【０００２】
従来、犬や猫などの小動物を洗浄する装置について、種々の技術が提案されている。
【０００３】
例えば、特許文献１では、上面が開口した洗浄液容器の底面にブラシが装着され、該ブラシの毛足先端が洗浄液容器の液面に対して斜めに形成され、洗浄液を入れてブラシを用いて動物の足裏をこする動物の足裏洗浄器が開示されている。
【０００４】
さらに、特許文献２では、装置本体に形成され、洗浄対象の動物における１本の足先が受容可能な容積を有し、洗浄液を収容する洗浄槽と、洗浄槽に収容された洗浄液中に気泡を発生させる気泡発生手段とを備える動物足洗浄装置が開示されている。
【先行技術文献】
【特許文献】
【０００５】
【特許文献１】実用新案登録第３０８２７３６号公報
【特許文献１】特開２００８−７９５６６号公報
【発明の概要】
【発明が解決しようとする課題】
【０００６】
しかしながら、特許文献１に開示された技術では、自宅の風呂場または玄関先に設置することは可能でも、構造上、携帯性、操作性、及び機能性に乏しい。
【０００７】
さらに、犬や猫などの小動物の足の裏を底面ヘッドからのエアーによって洗浄するためには、飼い主が、当該小動物の爪先をホールドしながら洗浄容器の中に入れる必要があるが、特許文献２に開示された技術は、そのような用途に対応できなかった。
【０００８】
本発明は、このような課題に鑑みてなされたものであり、その目的とするところは、シンプルな構成による小型化、軽量化を図ると共に、携帯性、操作性及び防水性を向上させた、犬や猫等の小動物の足の洗浄と拭き取りとが簡易にできる、実用性が高い技術を提供することにある。
【課題を解決するための手段】
【０００９】
上記課題を解決するため、本発明の第１の態様に係る小動物足洗浄装置は、駆動部を有する本体と、前記本体に装着される中空の洗浄容器と、前記本体に装着され、前記駆動部の駆動力により駆動するヘッド部材と、を有し、前記ヘッド部材として、洗浄用のヘッド部材又は拭き取り用のヘッド部材が装着される。
【００１０】
本発明の第２の態様に係る小動物足洗浄装置は、第１の態様において、前記駆動部はモータを含み、前記ヘッド部材は、前記モータの駆動により回転する。
【００１１】
本発明の第３の態様に係る小動物足洗浄装置は、第２の態様において、前記ヘッド部材は、シリコンまたはエラストマー素材のゴム弾力性素材で成型した平面型洗浄用ブラシ、あるいは、シリコンまたはエラストマー素材のゴム弾力性素材をベースフレームにマイクロファイバーや吸水速乾繊維の超吸水速乾素材を接着加工した平面円形型拭き取り用ブラシを備える。
【００１２】
本発明の第４の態様に係る小動物足洗浄装置は、第２の態様において、前記ヘッド部材は、前記洗浄容器の側面全体を覆うシリコンまたはエラストマー素材のゴム弾力性素材で一体成型した円筒型洗浄用ブラシ、あるいは、シリコンまたはエラストマー素材のゴム弾力性素材をベースフレームにマイクロファイバーや吸水速乾繊維の超吸水速乾素材を接着加工した円筒型拭き取り用ブラシを備える。
【００１３】
本発明の第５の態様に係る小動物足洗浄装置は、第１の態様において、前記駆動部は、水循環ポンプを含み、前記ヘッド部材は、前記水循環ポンプから排出される水により水流を発生する。
【００１４】
本発明の第６の態様に係る小動物足洗浄装置は、第５の態様において、前記ヘッド部材は、ＡＢＳ樹脂、シリコン樹脂、又はゴム樹脂を使用した平面型ヘッド、あるいは、アルミ合金、またはステンレスを使用した平面型ヘッドである。
【００１５】
本発明の第７の態様に係る小動物足洗浄装置は、第５の態様において、前記ヘッド部材は、アルミ合金、ステンレス製、ＡＢＳ樹脂、シリコン樹脂、またはゴム樹脂を使用した洗浄容器の側面全体を覆う一体成型の円筒型ヘッドである。
【００１６】
本発明の第８の態様に係る小動物足洗浄装置は、第１乃至第７の態様において、前記洗浄容器は円筒形状であり、前記本体は、前記洗浄容器の底面又は側面に装着可能である。
【００１７】
そして、本発明の第９の態様に係る小動物足洗浄装置は、第１乃至第８の態様において、前記洗浄容器の前記本体の装着側とは反対端の開口部には、未使用時には、把持できる部分を有する蓋部材が装着される。
【発明の効果】
【００１８】
本発明によれば、シンプルな構成による小型化、軽量化を図ると共に、携帯性、操作性及び防水性を向上させた、犬や猫等の小動物の足の洗浄と拭き取りとが簡易にできる、実用性が高い技術を提供することができる。
【図面の簡単な説明】
【００１９】
【図１】本発明の第１実施形態に係る小動物足洗浄装置の構成図である。
【図２】図２（ａ）及び図２（ｂ）は、上段キャップリングの構成を示す図である。
【図３】図３（ａ）及び図３（ｂ）は、下段キャップリングの構成を示す図である。
【図４】同装置の本体の詳細な構成を示す図である。
【図５】図５（ａ）乃至図５（ｄ）は、ヘッド部材の構成を示す図である。
【図６】図６（ａ）及び図６（ｂ）は、ヘッド部材の構成を示す図である。
【図７】図７（ａ）及び図７（ｂ）は、ヘッド部材の構成を示す図である。
【図８】同装置の本体の詳細な構成を示す図である。
【図９】図９（ａ）乃至図９（ｃ）は、ヘッド部材の構成を示す図である。
【図１０】図１０（ａ）及び図１０（ｂ）は、ヘッド部材の構成を示す図である。
【図１１】キャップリングの構成を示す図である。
【図１２】本発明の第２実施形態に係る小動物足洗浄装置の構成図である。
【図１３】図１３（ａ）乃至図１３（ｃ）は、ヘッド部材の構成を示す図である。
【図１４】本発明の第３実施形態に係る小動物足洗浄装置の構成図である。
【発明を実施するための形態】
【００２０】
以下、図面を参照しつつ本発明の実施形態について説明する。
【００２１】
＜第１実施形態＞
【００２２】
図１には、本発明の第１実施形態に係る小動物足洗浄装置の構成を示し説明する。
【００２３】
本実施形態に係る小動物足洗浄装置１は、本体２に、中空且つ円筒状の洗浄容器３が半回転で瞬時且つ容易に着脱可能なカートリッジ方式となっており、本体２の回転軸２ｂに多種多様なヘッド部材を取り換え可能に装着できるようになっている。
【００２４】
本体２には、電源のＯＮ／ＯＦＦや強弱を調整するスイッチ２ａと、再充電式電池を採用する場合に電源ケーブルやＵＳＢケーブルを装着する差込口２ｃが設けられており、不図示であるが、本体２と洗浄容器３の接続部分には、着脱操作のガイドをするために、ＬＯＣＫと矢印とを表記している。即ち、本体２と洗浄容器３の底部の接続部分にはシリコンリングが付き、本体側にＬＯＣＫと矢印、洗浄容器側に矢印が印刷され、右に５分の１回転、約４ｃｍ回転させると瞬時に取り外すことができ、左に５分の１回転、約４ｃｍ回転させワンタッチ感覚で密封と開閉を形成した。
【００２５】
洗浄容器３の最上部には、上方に突出した凸部３ａが形成されており、当該凸部３ａには、下段キャップリング４、水漏れ防止フィルタ５、６、上段キャップリング７、及び蓋部材としての携帯用キャップ８が、この順に積層されて、装着される。
【００２６】
ここで、図２（ａ）、図２（ｂ）には、上段キャップリング７の詳細な構成を示し説明する。図２（ａ）は、上段キャップリング７の平面図であり、図２（ｂ）は、上段キャップリング７の一部断面図である。これらの図に示されるように、上段キャップリング７の下段には、シリコンまたはエラストマー素材のゴム弾力性素材からなるスポンジ状の水漏れ防止フィルタ６と固定するための溝７ｂが形成されており、上段キャップリング７の上段には、動物足洗浄装置を使用しないとき、または移動時に取り付ける携帯用キャップ８が螺合により装着される溝７ａが形成されている。
【００２７】
そして、図３（ａ）、図３（ｂ）には、下段キャップリング４の詳細な構成を示し説明する。図３（ａ）は、下段キャップリング４の平面図であり、図３（ｂ）は、下段キャップリング４の一部断面図である。これらの図に示されるように、下段キャップリング４の下段には、詳細は後述する３６０度前面を覆う洗浄用ブラシ、拭き取り状ブラシ、及び水流ヘッド等の上端を保持して回転を補助するためのコの字型溝４ｂが形成されており、上段には、水漏れ防止フィルタ６と固定するための溝４ａが形成されている。溝４ｂの内側表面には、ヘッド部材を保持して回転を補助するための凹凸の突起物がある。
【００２８】
図１に説明に戻る。このような構成において、本体２の内部の動力源、及び当該動力源に接続されたモータの回動により、回転軸２ｂに装着されるヘッド部材が回動する。このヘッド部材の回動により、洗浄容器３につま先を立てた状態で挿入した洗浄対象となる動物の１本の足について、洗浄あるいは拭き取りを行う。動力源は、駆動部として機能するものである。
【００２９】
洗浄時には、本体３を片手で持ちながら電源のＯＮ／ＯＦＦとパワーの強弱の調整ができる。それと同時に、洗浄液の入った洗浄容器３の中にもう片方の手で動物の１足を動かないようにホールドしながら洗浄を進めることができる。そして、洗浄後は、本体２からワンタッチで洗浄容器３を取り外して汚水を捨て、もう一度洗浄したい場合はワンタッチで本体２に洗浄容器３取り付けて洗浄水を入れてから２度目の洗浄をして、洗浄後は本体２からワンタッチで洗浄容器３を取り外して洗浄水を捨てる。拭き取り時には、ワンタッチで拭き取り用ブラシと交換し、拭き取りを開始する。
【００３０】
このように、第１実施形態に係る小動物足洗浄装置１は、本体２への洗浄容器３の着脱やヘッド部材の交換（洗浄ブラシから拭き取りブラシへの交換）、洗浄水の入れ替え等が簡単にできる。そして、シンプルな構成で、小型且つ軽量で、携帯性にも優れている。さらに、メンテナンス性、操作性も良好で、高い洗浄力と拭き取りを実現すると共に、防水性能にも優れている。 
【００３１】
図４には、小動物足洗浄装置１の洗浄又は拭き取り用のヘッド部材が使用可能な本体２Ａの詳細な構成を示し説明する。
【００３２】
同図に示されるように、本体２Ａは、電源部１４を備えている。この例では、再充電式電池、または着脱可能な乾電池を使用する。電源部１４は、全体の制御を司る制御部１１に接続されており、制御部１１は、モータ１２に接続されている。このモータ１２の軸部材は、クラッチ部材及び回転軸を含む駆動軸１３に接続されている。このモータ１２と駆動軸１３とで駆動部を構成する。
【００３３】
このような構成において、電源部１４より制御部１１に電源が供給され、制御部１１はモータ１２を駆動する。モータ１２としては、回転式モータと、音波振動モータを採用することができる。回転式モータを採用する場合には、回転式モータの駆動力により駆動軸１３が回転し、それによりヘッド部材が回転する。一方、音波振動モータを採用する場合には、ヘッド部材を介して音波と振動を発生させる。
【００３４】
回転式モータとしては、連結したヘッド部材を毎分２００〜８００回転させる２段階速度調整可能な高トルク低回転式小型モータや、連結したヘッド部材を毎分５千回〜２万回振動させる音波振動発生モータを採用することができる。
【００３５】
回転式モータを採用する場合には、図５乃至図７に示されるような洗浄用ブラシ又は拭き取り用ブラシを備えたヘッド部材を採用することができる。
【００３６】
即ち、図５（ａ）、図５（ｂ）は、毛足が短い洗浄用ブラシを備えたヘッド部材を示している。ブラシは、シリコンまたはエラストマー素材のゴム弾力性素材で成型した平面型洗浄用ブラシ、あるいはシリコンまたはエラストマー素材のゴム弾力性素材をベースフレームにマイクロファイバーや吸水速乾繊維の超吸水速乾素材を接着加工した平面円形型拭き取り用ブラシを用いる。図５（ｃ）及び図５（ｄ）は、拭き取り用ブラシを備えたヘッド部材の一例を示している。
【００３７】
さらに、図６（ａ）及び図６（ｂ）は、洗浄容器３の側面の３６０度全面を覆う洗浄用ブラシを備えたヘッド部材、図７（ａ）及び図７（ｂ）は、洗浄容器３の３６０度全面を覆う拭き取り用ブラシを備えたヘッド部材の一例を示している。図６（ａ）、図６（ｂ）に示されるヘッド部材は、洗浄容器の側面全体を覆うシリコンまたはエラストマー素材のゴム弾力性素材で一体成型した円筒型洗浄用ブラシである。一方、図７（ａ）、図７（ｂ）に示されるヘッド部材は、シリコンまたはエラストマー素材のゴム弾力性素材をベースフレームにマイクロファイバーや吸水速乾繊維の超吸水速乾素材を接着加工した円筒型拭き取り用ブラシである。
【００３８】
図８には、小動物足洗浄装置の水流洗浄用のヘッド部材が装着可能な本体の詳細な構成を示し説明する。
【００３９】
同図に示されるように、本体２Ｂは、電源部２１を備えている。この例では、再充電式電池、または着脱可能な乾電池を使用する。電源部２１は、全体の制御を司る制御部２２に接続されており、制御部２２は、水循環ポンプ２３に接続されている。この水循環ポンプ２３は、排出口２４に接続されている。水循環ポンプ２３と排出口２４とで駆動部を構成する。
【００４０】
このような構成において、電源部２１より制御部２２に電源が供給され、制御部２２は水中循環式ポンプ２３を駆動する。水中循環式ポンプ２３は、吸水口２５より本体２Ｂ内の水を吸水し、排出口２４より排出する。これにより、装着されたヘッド部材を介して水流を発生させる。水中循環式ポンプ２３としては、連結した水流ヘッドから水流量毎時間３００〜１２００リットル発生させる２段階水流量焼成可能な水中循環式小型ポンプを採用することができる。
【００４１】
ここで、水循環式ポンプ２３を採用する本構成では、図９（ａ）乃至図９（ｃ）に示されるようなフラットな脱着式水流ヘッド部材、図１０（ａ）、図１０（ｂ）に示されるような洗浄容器３の側面３６０度全面を覆う脱着式水流ヘッドを採用することができる。
【００４２】
図９（ａ）に示されるヘッド部材は、ＡＢＳ樹脂、シリコン樹脂、ゴム樹脂を使用した平面型ヘッドであり、図９（ｂ）、図９（ｃ）に示されるヘッド部材は、アルミ合金、ステンレス製を使用した平面型ヘッドである。いずれも、水を排出して水流を発生するための複数の孔が開けられている。図１０（ａ）、図１０（ｂ）に示されるヘッド部材は、アルミ合金、ステンレス製、ＡＢＳ樹脂、シリコン樹脂、ゴム樹脂を使用した洗浄容器の側面全体を覆う一体成型のアルミ合金、ステンレス製、ＡＢＳ樹脂、シリコン樹脂、ゴム樹脂を加工した円筒型ヘッドである。このヘッドも、水を排出して水流を発生するための複数の孔が開けられている。
【００４３】
ここで、図１１には、キャップリングの他の構成を示し説明する。
【００４４】
同図に示されるように、キャップリング３０は、回転するヘッド部材のブラシトップの凹凸部分の穴に差し込む突起部分３０ａと、キャップリング上部と下部の接続部分に配設されたボールベアリング３０ｂと、を有する。同構成によれば、ヘッド部材のブラシトップの凹凸部分の６穴と下部リングの６個の突起部分で孤影し、ボールベアリングにより回転を円滑化することができる。
【００４５】
＜第２実施形態＞
【００４６】
図１２には、本発明の第２実施形態に係る小動物足洗浄装置の構成を示し説明する。ここでは、第１実施形態と同一構成については、同一符号を付し、説明を省略する。
【００４７】
本実施形態に係る小動物足洗浄装置５０は、本体２に、中空且つ円筒状の洗浄容器５１が半回転で瞬時且つ容易に着脱可能なカートリッジ方式となっており、本体２の回転軸２ｂに多種多様なヘッド部材を取り換え可能に装着できるようになっている。
【００４８】
本体２の構成は、第１実施形態と同様であるため、重複した説明は省略する。
【００４９】
一方、洗浄容器５１の側面には、上方に突出した凸部５１ａが形成されており、当該凸部５１ａには、水漏れ防止フィルタ５２、下段キャップリング５３、水漏れ防止フィルタ５４、上段キャップリング５５、及び携帯用キャップ５６が、この順に積層されて、装着されている。上段キャップリング５５の構成は、先に図２（ａ）、図（ｂ）に示した通りであり、下段キャップリング５３の構成は、先に図３（ａ）、図３（ｂ）に示した通りであるので、ここでは重複した説明は省略する。
【００５０】
このような構成において、本体２の内部の動力源、及び当該動力源に接続されたモータの回動により、回転軸２ｂに装着されるヘッド部材が回動する。このヘッド部材の回動により、洗浄容器５１につま先を立てた状態で挿入した洗浄対象となる動物の１本の足について、洗浄あるいは拭き取りを行う。
【００５１】
洗浄時には、本体２を片手で持ちながら電源のＯＮ／ＯＦＦとパワーの強弱の調整ができる。それと同時に、洗浄液の入った洗浄容器５１の中にもう片方の手で動物の１足を動かないようにホールドしながら洗浄を進めることができる。そして、洗浄後は、本体２からワンタッチで洗浄容器５１を取り外して汚水を捨て、もう一度洗浄したい場合はワンタッチで本体２に洗浄容器５１取り付けて洗浄水を入れてから２度目の洗浄をして、洗浄後は本体２からワンタッチで洗浄容器５１を取り外して洗浄水を捨てる。拭き取り時には、ワンタッチで拭き取り用ブラシと交換し、拭き取りを開始する。
【００５２】
このように、第２実施形態に係る小動物足洗浄装置５０は、本体２への洗浄容器５１の着脱やヘッド部材の交換（洗浄ブラシから拭き取りブラシへの交換）、洗浄水の入れ替え等が簡単にできる。そして、シンプルな構成で、小型且つ軽量で、携帯性にも優れている。さらに、メンテナンス性、操作性も良好で、高い洗浄力と拭き取りを実現すると共に、防水性能にも優れている。 
【００５３】
なお、本体２の詳細な構成は、先に図４、図８で説明した通りであるので、ここでは重複した説明は省略する。
【００５４】
回転式モータを採用する場合には、図１３（ａ）、図１３（ｂ）に示されるような洗浄用ブラシ又は拭き取り用ブラシを備えたヘッド部材を採用することができる。
【００５５】
即ち、図１３（ａ）は、毛足が長い洗浄用ブラシを備えたヘッド部材を示している。ヘッド部材に実装されるブラシとしては、シリコンまたはエラストマー素材のゴム弾力性素材で成型した平面型洗浄用ブラシ、あるいはシリコンまたはエラストマー素材のゴム弾力性素材をベースフレームにマイクロファイバーや吸水速乾繊維の超吸水速乾素材を接着加工した平面円形型拭き取り用ブラシを用いる。図１３（ｂ）は、拭き取り用ブラシを備えたヘッド部材の一例を示している。
【００５６】
一方、水循環式ポンプ２３を採用する本構成では、図１３（ｃ）に示されるようなフラットな脱着式水流ヘッド部材を採用することができる。図１３（ｃ）に示されるヘッド部材は、アルミ合金、ステンレス製を使用した平面型ヘッドである。このヘッドには、水を排出し水流を発生させるための複数の孔が開けられている。
【００５７】
＜第３実施形態＞
【００５８】
図１４には、本発明の第３実施形態に係る小動物足洗浄装置の構成を示し説明する。
【００５９】
第３実施形態に係る小動物足洗浄装置６０は、本体２に接続する洗浄容器６１は半回転で瞬時にかつ容易に脱着可能なカートリッジ式であり、蓋部材６２，６３のいずれかを外すことで、足を洗浄容器６１に対して、上方からも、側面からも挿入できるようになっている。その他の基本構成及び作用は、第１及び第２実施形態で説明した通りであるので重複した説明は省略する。
【００６０】
以上説明したように、本発明の第１乃至第３実施形態には、以下の発明が含まれる。
【００６１】
（１）  本体に内蔵された電動力源、前記電動力源に接続したモータ、前記モータに接続した取り換え可能な回転ブラシ、または前記モータに接続した水流ヘッド、または前記モータに接続した振動ブラシ、で形成され、洗浄対象の動物における１本の足のつま先を立てた状態で洗浄と拭き取りができる側面に接続する洗浄容器と１本の足のつま先を立てた状態でつま先全体が洗浄と拭き取りができる底部に接続する洗浄容器と、前記洗浄容器の上部には回転式モータまたは音波振動モータに接続する洗浄容器底部に接続して洗浄容器側面３６０度全面を覆う洗浄用ブラシと拭き取り用ブラシを固定して回転させるための溝を加工した蓋と、水中循環式ポンプに接続する洗浄容器底部に接続して洗浄容器側面３６０度全面を覆う脱着式水流ヘッドを固定して回転させるための溝を加工した蓋と、を有し、前記洗浄液を入れた洗浄容器に収容された足、足裏、足のつま先の洗浄と拭き取りができる電動回転モータまたは音波振動に連結したブラシ、そして足、足裏、足のつま先を洗浄できる電動水中循環式ポンプと連結した水流ヘッド、 を備えることを特徴とする小動物足洗浄装置。
【００６２】
（２）  上記（１）記載の小動物足洗浄装置において、当該装置の本体を片手で持ちながら電源のＯＮ／ＯＦＦとパワーの強弱の調整ができると共に、洗浄液の入った洗浄容器の中にもう片方の手で動物の１足を動かないようにホールドしながら洗浄ができ、洗浄後は本体からワンタッチで洗浄容器を取り外して汚水を捨て、再度洗浄したい場合はワンタッチで本体に取り付けて洗浄水を入れてから２度目の洗浄をして、洗浄後は本体からワンタッチで洗浄容器を取り外して洗浄水を捨て、ワンタッチで拭き取り用ブラシと交換し、ワンタッチで本体に取り付けたら拭き取り開始といった手順で、本体と洗浄容器の脱着、ブラシの交換、洗浄水の入れ替え、及び洗浄ブラシから拭き取りブラシへの交換、が簡単にでき、小型軽量で携帯性に優れ、メンテナンスが容易にできるシンプルな構造、操作が簡単で高い洗浄力と拭き取りに加え防水性能に優れていることを形成したことを特徴とする小動物足洗浄装置。 
【００６３】
（３）  上記（１）記載の小動物足洗浄装置において、当該装置本体に内蔵された電動力源は充電ケーブルまたはＵＳＢによる再充電式電池、そして乾電池の２種類を形成したことを特徴とする小動物足洗浄装置。 
【００６４】
（４）  上記（１）記載の小動物足洗浄装置において、当該装置本体に内蔵されたモータは連結したブラシを毎分２００〜８００回転させる２段階速度調整可能な高トルク低回転式小型モータ、連結した水流ヘッドから水流量毎時間３００〜１２００リットル発生させる２段階水流量焼成可能な水中循環式小型ポンプ、または連結したブラシを毎分５千回〜２万回振動させる音波振動発生モータ、の３種類を形成したことを特徴とする小動物足洗浄装置。 
【００６５】
（５）  上記（１）記載の小動物足洗浄装置において、当該装置本体の回転式モータを洗浄容器の側面に接続する場合のブラシは、シリコンまたはエラストマー素材のゴム弾力性素材で成型した平面型洗浄用ブラシ、そしてシリコンまたはエラストマー素材のゴム弾力性素材をベースフレームにマイクロファイバーや吸水速乾繊維の超吸水速乾素材を接着加工した平面円形型拭き取り用ブラシ、を形成したことを特徴とする小動物足洗浄装置。
【００６６】
（６）  上記（１）記載の小動物足洗浄装置において、当該装置本体の回転式モータを洗浄容器の底部に接続する場合のブラシは、洗浄容器の側面全体を覆うシリコンまたはエラストマー素材のゴム弾力性素材で一体成型した円筒型洗浄用ブラシ、そしてシリコンまたはエラストマー素材のゴム弾力性素材をベースフレームにマイクロファイバーや吸水速乾繊維の超吸水速乾素材を接着加工した円筒型拭き取り用ブラシ、を形成したことを特徴とする小動物足洗浄装置。
【００６７】
（７）  上記（１）記載の小動物足洗浄装置において、当該装置本体の水中循環式ポンプを洗浄容器の側面に接続する場合の水流ヘッドは、アルミ合金、ステンレス製、ＡＢＳ樹脂、シリコン樹脂、ゴム樹脂を使用した平面型ヘッド、を形成したことを特徴とする小動物足洗浄装置。
【００６８】
（８）  上記（１）記載の小動物足洗浄装置において、当該装置本体の水中循環式ポンプを洗浄容器の底部に接続する場合の水流ヘッドとしては、アルミ合金、ステンレス製、ＡＢＳ樹脂、シリコン樹脂、ゴム樹脂を使用した洗浄容器の側面全体を覆う一体成型のアルミ合金、ステンレス製、ＡＢＳ樹脂、シリコン樹脂、ゴム樹脂を加工した円筒型ヘッドを形成したことを特徴とする小動物足洗浄装置。
【００６９】
（９）  上記（１）記載の小動物足洗浄装置において、当該装置本体の音波振動モータを洗浄容器の側面に接続する場合のブラシとしては、シリコンまたはエラストマー素材のゴム弾力性素材で成型した平面型洗浄用ブラシ、またはシリコンまたはエラストマー素材のゴム弾力性素材をベースフレームにマイクロファイバーや吸水速乾繊維の超吸水速乾素材を接着加工した平面円形型拭き取り用ブラシ、を形成したことを特徴とする小動物足洗浄装置。
【００７０】
（１０）  上記（１）記載の小動物足洗浄装置において、当該装置本体の音波振動モータを洗浄容器の底部に接続する場合のブラシは、洗浄容器の側面全体を覆うシリコンまたはエラストマー素材のゴム弾力性素材で一体成型した円筒型洗浄用ブラシ、そしてシリコンまたはエラストマー素材のゴム弾力性素材をベースフレームにマイクロファイバーや吸水速乾繊維の超吸水速乾素材を接着加工した円筒型拭き取り用ブラシ、を形成したことを特徴とする小動物足洗浄装置。
【００７１】
（１１）  上記（１）記載の小動物足洗浄装置において、当該装置本体を側面（即ち、横づけ）に接続する洗浄容器と底部に接続するガラス樹脂、ＡＢＳ樹脂、ＡＳ樹脂、ポリプロピレン、スチレン・アクリロニトリル、アクリロニトリル・スチレン・アクリル酸エステル、強化樹脂の透明の洗浄容器、を形成したことを特徴とする小動物足洗浄装置。
【００７２】
（１２）  上記（１）記載の小動物足洗浄装置において、当該装置本体と洗浄容器の側面（即ち、横づけ）または底部の接続部分にはシリコンリングが付き、本体側にＬＯＣＫと矢印、洗浄容器側に矢印が印刷され、右に５分の１回転、約４ｃｍ回転させると瞬時に取り外すことができ、左に５分の１回転、約４ｃｍ回転させワンタッチ感覚で密封と開閉を形成したことを特徴とする小動物足洗浄装置。
【００７３】
（１３）  上記（１）記載の小動物足洗浄装置において、当該装置本体に接続する洗浄容器の最上部に上段と下段に２段重ねのキャップがあり、下段のキャップの内周の淵には上記ブラシが安定して回転するためのコの字型の溝とその溝の内側表面にはブラシが固定して回転を補助するための凹凸の突起物があり、そして上記ヘッドが安定して回転するためのコの字型の溝とその溝の内側表面にはヘッドが固定して回転を補助するための凹凸の突起物を形成したことを特徴とする小動物足洗浄装置。
【００７４】
（１４）  上記（１）記載の小動物足洗浄装置において、当該装置本体に接続する洗浄容器の最上部に上段と下段に２段重ねのキャップリングがあり、下段キャップリングの上部にはシリコンまたはエラストマー素材のゴム弾力性素材の水漏れ防止フィルタ１を取り付け、上段キャップリングの内部にはシリコンまたはエラストマー素材のゴム弾力性素材でスポンジ状の水漏れ防止フィルタ２を取り付け、上段キャップリングの外側には移動時や使用しないときのキャップを取り付けることを形成したことを特徴とする小動物足洗浄装置。
【００７５】
従って、本発明の第１乃至第３実施形態によれば、以下の効果が奏される。
【００７６】
本実施形態に係る小動物足洗浄装置は、携帯性、操作性、機能性、安全性、耐久性、防水性（ＩＰＸ５以上）、及び実用性に優れている。特に、携帯性については、散歩中や旅行先にペットボトルといっしょに気軽に持ち歩けるので、利便性も高い。
【００７７】
また、足の洗浄と拭き取りを状況に応じて行うことが可能である。さらに、洗浄対象である小動物の種類に応じて、底面からの洗浄及び拭き取りと、側面からの洗浄及び拭き取りを選択して実行することができる。これにより、飼い主が１本の足をホールドしながら入れた時の足の位置は１本の足のつま先が伸びた状態であるが、そのような状態で飼い主が足をホールドした状態を維持しつつ、他方の手で装置の操作を行えるので、小動物の足の裏を短時間で効率よく洗浄したり水分を拭き取ったりすることができる。
【００７８】
以上、本発明の一実施形態について説明したが、本発明はこれに限定されることなくその趣旨を逸脱しない範囲で種々の改良・変更が可能であることは勿論である。
【００７９】
例えば、ヘッド部材は、前述した洗浄用、拭き取り用のものに限定されることなく、多種多様なものを採用することができる。
【符号の説明】
【００８０】
１…小動物足洗浄装置、２…本体、３…洗浄容器、４…下段キャップリング、５…水漏れ防止フィルタ、６…水漏れ防止フィルタ、７…上段キャップリング、８…蓋部材、１１…制御部、１２…モータ、１３…駆動軸、１４…電源ユニット、２１…電源部、２２…制御部、２３…水循環ポンプ、２４…排水口、２５…吸水口。
【図１】
2020078256.tif 000003
【図２】
2020078256.tif 000004
【図３】
2020078256.tif 000005
【図４】
2020078256.tif 000006
【図５】
2020078256.tif 000007
【図６】
2020078256.tif 000008
【図７】
2020078256.tif 000009
【図８】
2020078256.tif 000010
【図９】
2020078256.tif 000011
【図１０】
2020078256.tif 000012
【図１１】
2020078256.tif 000013
【図１２】
2020078256.tif 000014
【図１３】
2020078256.tif 000015
【図１４】
2020078256.tif 000016
【手続補正書】
【提出日】平成31年3月18日(2019.3.18)
【手続補正１】
【補正対象書類名】特許請求の範囲
【補正対象項目名】全文
【補正方法】変更
【補正の内容】
【特許請求の範囲】
【請求項１】
モータを含む駆動部と、
前記駆動部を収容した本体と、
前記本体に装着される中空の洗浄容器と、
前記本体に装着され、前記駆動部の駆動力により回転するヘッド部材と、
前記本体の上方及び側面の開口に装着される第１及び第２の蓋部材と、を有し、
前記ヘッド部材として、洗浄用のヘッド部材及び拭き取り用のヘッド部材が交換自在であり、前記第１の蓋部材又は前記第２の蓋部材を外すことで、小動物の足を上方又は側面からも挿入可能とする
小動物足洗浄装置。
【請求項２】
前記ヘッド部材は、シリコンまたはエラストマー素材のゴム弾力性素材で成型した平面型洗浄用ブラシ、あるいは、シリコンまたはエラストマー素材のゴム弾力性素材をベースフレームにマイクロファイバーや吸水速乾繊維の超吸水速乾素材を接着加工した平面円形型拭き取り用ブラシを備える
請求項１に記載の小動物足洗浄装置。
【請求項３】
前記ヘッド部材は、前記洗浄容器の側面全体を覆うシリコンまたはエラストマー素材のゴム弾力性素材で一体成型した円筒型洗浄用ブラシ、あるいは、シリコンまたはエラストマー素材のゴム弾力性素材をベースフレームにマイクロファイバーや吸水速乾繊維の超吸水速乾素材を接着加工した円筒型拭き取り用ブラシを備える
請求項１に記載の小動物洗浄装置。
【請求項４】
水循環ポンプをを含む駆動部と、
前記駆動部を収容した本体と、
前記本体に装着される中空の洗浄容器と、
前記本体に装着され、前記駆動部の駆動力により駆動するヘッド部材と、
前記本体の上方及び側面の開口に装着される第１及び第２の蓋部材と、を有し、
前記ヘッド部材は、前記水循環ポンプから排出される水により水流を発生し、
前記第１の蓋部材又は前記第２の蓋部材を外すことで、小動物の足を上方又は側面からも挿入可能とする
小動物足洗浄装置。
【請求項５】
前記ヘッド部材は、ＡＢＳ樹脂、シリコン樹脂、又はゴム樹脂を使用した平面型ヘッド、あるいは、アルミ合金、またはステンレスを使用した平面型ヘッドである
請求項４に記載の小動物足洗浄装置。
【請求項６】
前記ヘッド部材は、アルミ合金、ステンレス製、ＡＢＳ樹脂、シリコン樹脂、またはゴム樹脂を使用した洗浄容器の側面全体を覆う一体成型の円筒型ヘッドである
請求項４に記載の小動物洗浄装置。
【手続補正２】
【補正対象書類名】明細書
【補正対象項目名】０００９
【補正方法】変更
【補正の内容】
【０００９】
上記課題を解決するため、本発明の第１の態様に係る小動物足洗浄装置は、モータを含む駆動部と、前記駆動部を収容した本体と、前記本体に装着される中空の洗浄容器と、前記本体に装着され、前記駆動部の駆動力により回転するヘッド部材と、前記本体の上方及び側面の開口に装着される第１及び第２の蓋部材と、を有し、前記ヘッド部材として、洗浄用のヘッド部材及び拭き取り用のヘッド部材が交換自在であり、前記第１の蓋部材又は前記第２の蓋部材を外すことで、小動物の足を上方又は側面からも挿入可能とする。
【手続補正３】
【補正対象書類名】明細書
【補正対象項目名】００１０
【補正方法】削除
【補正の内容】
【手続補正４】
【補正対象書類名】明細書
【補正対象項目名】００１１
【補正方法】変更
【補正の内容】
【００１１】
本発明の第２の態様に係る小動物足洗浄装置は、第１の態様において、前記ヘッド部材は、シリコンまたはエラストマー素材のゴム弾力性素材で成型した平面型洗浄用ブラシ、あるいは、シリコンまたはエラストマー素材のゴム弾力性素材をベースフレームにマイクロファイバーや吸水速乾繊維の超吸水速乾素材を接着加工した平面円形型拭き取り用ブラシを備える。
【手続補正５】
【補正対象書類名】明細書
【補正対象項目名】００１２
【補正方法】変更
【補正の内容】
【００１２】
本発明の第３の態様に係る小動物足洗浄装置は、第１の態様において、前記ヘッド部材は、前記洗浄容器の側面全体を覆うシリコンまたはエラストマー素材のゴム弾力性素材で一体成型した円筒型洗浄用ブラシ、あるいは、シリコンまたはエラストマー素材のゴム弾力性素材をベースフレームにマイクロファイバーや吸水速乾繊維の超吸水速乾素材を接着加工した円筒型拭き取り用ブラシを備える。
【手続補正６】
【補正対象書類名】明細書
【補正対象項目名】００１３
【補正方法】変更
【補正の内容】
【００１３】
本発明の第４の態様に係る小動物足洗浄装置は、水循環ポンプをを含む駆動部と、前記駆動部を収容した本体と、前記本体に装着される中空の洗浄容器と、前記本体に装着され、前記駆動部の駆動力により駆動するヘッド部材と、前記本体の上方及び側面の開口に装着される第１及び第２の蓋部材と、を有し、前記ヘッド部材は、前記水循環ポンプから排出される水により水流を発生し、前記第１の蓋部材又は前記第２の蓋部材を外すことで、小動物の足を上方又は側面からも挿入可能とする。
【手続補正７】
【補正対象書類名】明細書
【補正対象項目名】００１４
【補正方法】変更
【補正の内容】
【００１４】
本発明の第５の態様に係る小動物足洗浄装置は、第４の態様において、前記ヘッド部材は、ＡＢＳ樹脂、シリコン樹脂、又はゴム樹脂を使用した平面型ヘッド、あるいは、アルミ合金、またはステンレスを使用した平面型ヘッドである。
【手続補正８】
【補正対象書類名】明細書
【補正対象項目名】００１５
【補正方法】変更
【補正の内容】
【００１５】
本発明の第６の態様に係る小動物足洗浄装置は、第４の態様において、前記ヘッド部材は、アルミ合金、ステンレス製、ＡＢＳ樹脂、シリコン樹脂、またはゴム樹脂を使用した洗浄容器の側面全体を覆う一体成型の円筒型ヘッドである。
【手続補正９】
【補正対象書類名】明細書
【補正対象項目名】００１６
【補正方法】削除
【補正の内容】
【手続補正１０】
【補正対象書類名】明細書
【補正対象項目名】００１７
【補正方法】削除
【補正の内容】